(57)【要約】【課題】所定の端末間での通信の予約に基づいて確実に各端末間の接続を行い、各端末間の通信における利便性を向上させることができる予約通信制御装置及び方法を提供することである。【解決手段】上記の問題点を解決するために、所定の端末間での通信の予約を示すスケジュール情報を管理するスケジュール情報管理手段と、発信要求を送信した発信側端末が上記スケジュール情報に予約された端末であるか否かを判断する発信判断手段と、上記発信判断手段による判断結果に基づいて、上記発信側端末からの上記発信要求を拒否する発信拒否手段とを有する。【選択図】　　　　図１
2004072201.tif 000002
【特許請求の範囲】
【請求項１】
複数の端末間での通信を制御する予約通信制御装置であって、
所定の端末間での通信の予約を示すスケジュール情報を管理するスケジュール情報管理手段と、
発信要求を送信した発信側端末が上記スケジュール情報に予約された端末であるか否かを判断する発信判断手段と、
上記発信判断手段による判断結果に基づいて、上記発信側端末からの上記発信要求を拒否する発信拒否手段とを有することを特徴とする予約通信制御装置。
【請求項２】
上記スケジュール情報は、所定の端末間での通信を行う時間帯と通信を行う各端末とを有し、
上記発信側端末から上記発信要求が送信された時刻が上記スケジュール情報の通信を行う時間帯内であるか否かを判断する時刻判断手段を有することを特徴とする請求項１記載の予約通信制御装置。
【請求項３】
上記時刻判断手段による判断結果に基づいて、上記スケジュール情報の通信を行う上記各端末に、上記スケジュール情報が有る旨を通知する通知手段を有することを特徴とする請求項２記載の予約通信制御装置。
【請求項４】
交換機を介して通信を制御する予約通信制御端末であって、所定の端末への通信の予約を示すスケジュール情報を管理するスケジュール情報管理手段と、
発信要求を送信した相手側端末が上記スケジュール情報に予約された端末であるか否かを判断する発信判断手段と、
上記発信判断手段による判断結果に基づいて、上記相手側端末からの上記発信要求に応じた着信要求を拒否する着信拒否手段とを有することを特徴とする予約通信制御端末。
【請求項５】
複数の端末間での通信を制御する予約通信制御方法であって、
所定の端末間での通信の予約を示すスケジュール情報を管理するスケジュール情報管理手順と、
発信要求を送信した発信側端末が上記スケジュール情報に予約された端末であるか否かを判断する発信判断手順と、
上記発信判断手順による判断結果に基づいて、上記発信側端末からの上記発信要求を拒否する発信拒否手順とを有することを特徴とする予約通信制御方法。
【発明の詳細な説明】
【０００１】
【発明の属する技術分野】
本発明は予約通信制御装置に係り、特に、ネットワークを介してパーソナルコンピュータ（ＰＣ）等の通信可能な端末間で通信を行う際、予約情報に基づいて親機端末と子機端末との間の通信を制御するための予約通信制御装置に関する。
【０００２】
また、本発明は、そのような予約通信制御装置及び方法における処理をコンピュータに行わせるためのプログラムに関する。
【０００３】
【従来の技術】
近年、ネットワークを介して、ＰＣや携帯端末等の通信可能な端末間で画像や音声による通信が盛んに行われている。例えば、少数の医師及び介護ヘルパーが多数の患者の診察及び介護を行うために、親機端末と子機端末との間で通信が行われている。このような通信を行う場合、診察を予定した時間に医師側の親機端末からの発信要求に応じて患者側の子機端末が着信し、親機端末と子機端末とが接続された状態で、画像及び音声による診察を行っている。
【０００４】
【発明が解決しようとする課題】
しかしながら、予定した時間に医師側の親機端末から所定の患者側の子機端末に発信要求をした場合、その子機端末が他の端末と接続中の際、親機端末と子機端末との接続を行うことができなかった。これにより、多数の患者の診察予定のある医師は、時間を割いて再度親機端末からその子機端末に発信要求（コールバック）しなければならないという問題点があった。
【０００５】
また、患者が緊急に医師の診察を受けるため、患者側の子機端末から発信要求したとしても、医師側の親機端末と確実に接続できない場合があり、通信を用いる利便性に欠けるという問題点があった。
【０００６】
そこで、本発明の課題は、所定の端末間での通信の予約に基づいて確実に各端末間の接続を行い、各端末間の通信における利便性を向上させることができる予約通信制御装置及び方法を提供することである。
【０００７】
【課題を解決するための手段】
上記の課題を解決するため、本発明は、複数の端末間での通信を制御する予約通信制御装置であって、所定の端末間での通信の予約を示すスケジュール情報を管理するスケジュール情報管理手段と、発信要求を送信した発信側端末が上記スケジュール情報に予約された端末であるか否かを判断する発信判断手段と、上記発信判断手段による判断結果に基づいて、上記発信側端末からの上記発信要求を拒否する発信拒否手段とを有する構成とされる。
【０００８】
このような予約通信制御装置では、所定の端末間での通信の予約を示すスケジュール情報を管理し、発信要求を送信した発信側端末がスケジュール情報に予約された端末であるか否かを判断し、この判断結果に基づいて発信側端末からの発信要求を拒否することにより、所定の端末間での通信の予約に基づいて確実に各端末間の接続を行い、各端末間の通信における利便性を向上させることができる。
【０００９】
また、上記課題を解決するため、本発明は、予約通信制御方法による処理をコンピュータに行なわせるためのプログラム及びそのプログラムを記録した記録媒体とすることもできる。
【００１０】
【発明の実施の形態】
以下、本発明の実施の形態を図面に基づいて説明する。
【００１１】
図１は、本発明の第１実施例に係る予約通信制御装置におけるシステム構成図である。図１において、予約通信制御装置における予約通信制御システム１０は、多数の子機端末２０Ａ〜２０Ｘと、少数の親機端末３０Ａ〜３０Ｎと、子機端末２０Ａ〜２０Ｘと親機端末３０Ａ〜３０Ｎとの通信を制御する交換機４０とで構成されるシステムである。
【００１２】
子機端末２０Ａ〜２０Ｘ、親機端末３０Ａ〜３０Ｎは、ＰＣや移動体情報端末など、通信可能な端末で構成される。インターネットや携帯電話網あるいは固定電話網等のネットワーク１を介して子機端末２０Ａ〜２０Ｘと、親機端末３０Ａ〜３０Ｎと、交換機４０とが接続される。例えば、子機端末２０Ａ〜２０Ｘは多数の患者が所有し、親機端末３０Ａ〜３０Ｎは少数の医師及び介護ヘルパーが所有する場合に適応される。
【００１３】
子機端末２０Ａ〜２０Ｘと、親機端末３０Ａ〜３０Ｎと、交換機４０は、ＣＰＵ（中央処理装置）によって各構成が制御される。ＣＰＵは、メモリユニットに格納されたプログラムに従って予約通信制御システム１０における予約通信制御方法での処理を行う。
【００１４】
例えば、図１において、医師の所有する親機端末３０Ａが、患者の所有する子機端末２０Ａに発信要求した場合（ステップＳ１）、交換機４０は親機端末３０Ａからの発信要求を受信する。交換機４０は、親機端末３０Ａからの発信要求に基づいて子機端末２０Ａへ着信要求を行い（ステップＳ２）、親機端末３０Ａと子機端末２０Ａとの接続処理を行う。親機端末３０Ａと子機端末２０Ａとが接続された状態で、親機端末３０Ａの医師は、子機端末２０Ａの患者の診察などを行う。
【００１５】
次に、子機端末２０Ａ〜２０Ｘと、親機端末３０Ａ〜３０Ｎにおける第１構成例について説明する。尚、子機端末２０Ａ〜２０Ｘと、親機端末３０Ａ〜３０Ｎは以後総称して端末２０、３０とする。
【００１６】
図２は、本発明の第１実施例に係る予約通信制御装置における各端末の構成例を示す図である。図２において、端末２０、３０は、主に、データの入出力を制御する入出力制御処理部６１と、データの表示を制御する表示制御処理部６２と、データ通信を制御する通信制御処理部６３と、予約通信制御処理を実行するプログラムをインストールするインストーラ６４と、着信処理を行うか否かの判断を行う着信判断処理部６０とを有する。
【００１７】
入出力制御処理部６１は、マウス、キーボード等の入力ユニット及びプリンタ等の出力ユニットを制御し、データの入出力を制御する。表示制御処理部６２は、ディスプレイ等の表示ユニットを有し、表示用データを制御して該表示ユニットに表示させる。通信制御処理部６３は、ネットワーク１を介して送受信データを制御する処理部であって、ネットワーク網に接続するための通信ユニットを有する。インストーラ６４は、本発明の一実施例に係る予約通信制御方法を実現するためのプログラムが記録された記録媒体５０から該プログラムを読み出し、その読み出されたプログラムを、例えば、補助記憶装置等にインストールする。そして、後述される予約通信制御方法における処理が起動されると、補助記憶装置にインストールされた当該プログラムに従って、ＣＰＵがその処理を開始する。尚、記録媒体５０は、当該プログラムを格納する媒体としてＣＤ−ＲＯＭ等、コンピュータが読み取り可能な媒体であればよい。
【００１８】
着信判断処理部６０は、各端末２０、３０間の接続予約を示すスケジュールテーブルに基づいて、着信処理を行うか否かの判断を行う。着信判断処理部６０の処理については、図３で詳細に説明する。
【００１９】
次に、各端末２０、３０での着信判断処理の手順について説明する。
【００２０】
図３は、本発明の第１実施例に係る着信判断処理を説明するためのフローチャート図である。図３において、先ず、ステップＳ１０の処理で、端末２０、３０の着信判断処理部６０は、交換機４０からの着信要求の受信を待機する。ステップＳ１１の処理で、着信判断処理部６０は、交換機４０から着信要求があるか否かを判断する。ステップＳ１１の処理で、交換機４０から着信要求がない場合、ステップＳ１０からの処理を繰り返す。ステップＳ１１の処理で、交換機４０から着信要求があった場合、ステップＳ１２の処理で、着信判断処理部６０は、スケジュールＤＢ６６内に格納されたスケジュールテーブルを参照する。参照されたスケジュールテーブルに基づいて以降の処理が行われる。
【００２１】
次に、ステップＳ１３の処理で、着信判断処理部６０は、スケジュールテーブルに基づいて、着信要求を受信した時刻が予約時刻であるか否かを判断する。ステップＳ１３の処理で着信要求を受信した時刻が予約時刻でない場合、ステップＳ１７からの処理を行う。ステップＳ１３の処理で着信要求を受信した時刻が予約時刻である場合、ステップＳ１４の処理で、着信判断処理部６０は、スケジュールテーブルに基づいて、発信側が予約した端末であるか否かを判断する。ステップＳ１４の処理で発信側が予約した端末でない場合、ステップＳ１５の処理で、着信判断処理部６０は、発信側からの着信を拒否する着信拒否処理を行い、ステップＳ１０からの処理を繰り返す。ステップＳ１４の処理で発信側が予約した端末である場合、ステップＳ１６の処理で、着信判断処理部６０は所定の端末２０、３０からの発信要求に応じて着信処理を行う。
【００２２】
ステップＳ１７の処理で、着信判断処理部６０は端末２０、３０間での通話処理を行う。ステップＳ１８の処理で、着信判断処理部６０は端末２０、３０間の接続が切断されたか否かを判断する。ステップＳ１８の処理で、端末２０、３０間の接続が切断されていない場合、ステップＳ１７の処理で通話処理を行う。ステップＳ１８の処理で、端末２０、３０間の接続が切断された場合、ステップＳ１９の処理で、着信判断処理部６０は、端末２０、３０間の接続の切断処理を行い、ステップＳ１０からの処理を繰り返す。
【００２３】
次に、本発明の第２実施例に係る交換機４０における構成について説明する。図４は、本発明の第２実施例に係る予約通信制御装置における交換機の構成例を示す図である。尚、図４に示す交換機４０の各構成において、図２に示す端末２０、３０と同様の構成については同符号を付して説明を省略する。
【００２４】
交換機４０は、主に、入出力制御処理部６１と、表示制御処理部６２と、通信制御処理部６３と、発信処理を行うか否かの判断を行う発信判断処理部６５とを有する。発信判断処理部６５は、各端末２０、３０間の接続予約を示すスケジュールテーブルに基づいて、端末２０、３０からの発信処理を行うか否かの判断を行う。
【００２５】
尚、スケジュールテーブルはスケジュールＤＢ６６に格納されている。このスケジュールＤＢ６６は、端末２０、３０、又は、交換機４０に設けられる。例えば、端末２０、３０により交換機４０に設けられたスケジュールＤＢ６６のスケジュールテーブルが参照される場合、ネットワーク１を介してスケジュールテーブルが参照される。
【００２６】
次に、交換機４０での発信判断処理の手順について説明する。
【００２７】
図５は、本発明の第２実施例に係る発信判断処理を説明するためのフローチャート図である。図５において、先ず、ステップＳ２０の処理で、発信判断処理部６５は、発信要求及び切断要求の受信を待機する。ステップＳ２１の処理で、発信判断処理部６５は、発信要求を受信したか否かの判断を行う。ステップＳ２１の処理で、発信要求を受信した場合、ステップＳ２２の処理で、発信判断処理部６５は、スケジュールＤＢ６６内に格納されたスケジュールテーブルを参照する。ステップＳ２３の処理で、発信判断処理部６５は、着信側が予約済み端末であるか否かを判断する。
【００２８】
ステップＳ２３の処理で、着信側が予約済み端末でない場合、ステップＳ２６からの処理を行う。ステップＳ２３の処理で、着信側が予約済み端末である場合、ステップＳ２４の処理で、発信判断処理部６５は、着信要求を受信した時刻が予約時刻であるか否かを判断する。ステップＳ２４の処理で、着信要求を受信した時刻が予約時刻でない場合、ステップＳ２６からの処理を行う。ステップＳ２４の処理で、着信要求を受信した時刻が予約時刻である場合、ステップＳ２５の処理で、発信判断処理部６５は、発信側が予約した端末であるか否かを判断する。ステップＳ２５の処理で、発信側が予約した端末である場合、ステップＳ２６の処理で、発信判断処理部６５は、所定の着信側への発信処理を行い、ステップＳ２０からの処理を繰り返す。また、ステップＳ２５の処理で、発信側が予約した端末でない場合、ステップＳ２７の処理で、発信判断処理部６５は、所定の着信側への発信要求を拒否する発信要求拒否処理を行い、ステップＳ２０からの処理を繰り返す。
【００２９】
また、ステップＳ２１の処理で、発信要求を受信していない場合、ステップＳ２８の処理で、発信判断処理部６５は、切断要求を受信したか否かを判断する。ステップＳ２８の処理で切断要求を受信していない場合、ステップＳ２０からの処理を繰り返す。ステップＳ２８の処理で切断要求を受信した場合、ステップＳ２９の処理で、発信判断処理部６５は、端末２０、３０が接続され、通話中であるか否かを判断する。ステップＳ２９の処理で端末が通話中でない場合、ステップＳ２０からの処理を繰り返す。ステップＳ２９の処理で端末が通話中である場合、ステップＳ３０の処理で、発信判断処理部６５は端末の接続を切断する切断処理を行い、ステップＳ２０からの処理を繰り返す。
【００３０】
次に、第３実施例に係る端末２０、３０における構成例について説明する。図６は、本発明の第３実施例に係る予約通信制御装置における各端末の構成例を示す図である。尚、図６に示す端末２０、３０の構成について、図２に示す端末２０、３０の各構成と同様の構成については同符号を付して説明を省略する。
【００３１】
図６において、端末２０、３０は、主に、着信処理及び発信処理を行うか否かの判断を行う判断処理部６７と、各端末２０、３０間の接続予約を示すスケジュールを通知する予約通知処理部６８と、スケジュールテーブルの接続予約を解除する予約解除処理部６９とを有する。判断処理部６７は、スケジュールテーブルに基づいて、着信処理及び発信処理を行うか否かの判断を行う。予約通知処理部６８は、スケジュールテーブルに基づいて、所定の端末２０、３０に予約したスケジュールテーブルの予約時刻が近づいている旨を通知する。予約解除処理部６９は、スケジュールテーブルの接続予約を解除する要求に基づいてスケジュールテーブルを更新し、所定の端末２０、３０に解除情報を送信する。
【００３２】
次に、端末２０、３０での判断処理の手順について説明する。
【００３３】
図７は、本発明の第３実施例に係る判断処理を説明するためのフローチャート図である。図７において、先ず、ステップＳ３５の処理で、端末２０、３０の判断処理部６７は、交換機４０からの着信要求及び発信要求の受信を待機する。ステップＳ３６の処理で、判断処理部６７は、スケジュールＤＢ６６内に格納されたスケジュールテーブルを参照する。ステップＳ３７の処理で、判断処理部６７は交換機４０から着信要求を受信したか否かを判断する。ステップＳ３７の処理で、交換機４０から着信要求を受信していない場合、ステップＳ３８の処理で、判断処理部６７は交換機４０から発信要求を受信したか否かを判断する。ステップＳ３８の処理で、交換機４０から発信要求を受信していない場合、ステップＳ３５からの処理を繰り返す。
【００３４】
ステップＳ３８の処理で、交換機４０から発信要求がある場合、ステップＳ３９の処理で、予約通知処理部６８は、発信要求を受信した時刻が予約時刻までα分以内であるか否かを判断する。ステップＳ３９の処理で、予約時刻までα分以内である場合、ステップＳ４０の処理で、予約通知処理部６８は予約時刻が近づいている旨を所定の端末２０、３０に知らせる処理を行う。ステップＳ３９の処理で、予約時刻までα分以内でない場合、ステップＳ４１の処理で、判断処理部６７は、所定の着信側への発信処理を行い、ステップＳ４８からの処理を行う。
【００３５】
また、ステップＳ３７の処理で、交換機４０から着信要求を受信した場合、ステップＳ４２の処理で、判断処理部６７は着信要求を受信した時刻が予約時刻であるか否かを判断する。ステップＳ４２の処理で、着信要求を受信した時刻が予約時刻でない場合、ステップＳ４３の処理で、予約通知処理部６８は、着信要求を受信した時刻が予約時刻までα分以内であるか否かを判断する。ステップＳ４３の処理で、予約時刻までα分以内である場合、ステップＳ４４の処理で、予約通知処理部６８は予約時刻が近づいている旨を所定の端末２０、３０に知らせる処理を行う。
【００３６】
ステップＳ４２の処理で、着信要求を受信した時刻が予約時刻である場合、ステップＳ４５の処理で、判断処理部６７は、発信側が予約端末であるか否かを判断する。ステップＳ４５の処理で、発信側が予約端末でない場合、ステップＳ４６の処理で、判断処理部６７は発信側からの着信を拒否する着信拒否処理を行い、ステップＳ３５からの処理を繰り返す。
【００３７】
ステップＳ４３の処理で、予約時刻までα分以内でない場合、また、ステップＳ４４の処理が終了した場合、ステップＳ４７の処理で、判断処理部６７は所定の端末２０、３０からの発信要求に応じて着信処理を行う。ステップＳ４８の処理で、判断処理部６７は端末２０、３０間での通話処理を行う。ステップＳ４９の処理で、予約通知処理部６８は、通話している時刻が予約時刻までβ分であるか否かを判断する。ステップＳ４９の処理で、予約時刻までβ分である場合、ステップＳ５０の処理で、予約通知処理部６８は予約時刻が近づいている旨を所定の端末２０、３０に知らせる処理を行う。ステップＳ４９の処理で、予約時刻までβ分でない場合、ステップＳ５１の処理で、判断処理部６７は端末２０、３０間の接続が切断されたか否かを判断する。ステップＳ５１の処理で、端末２０、３０間の接続が切断されていない場合、ステップＳ４８の処理で通話処理を行う。ステップＳ５１の処理で、端末２０、３０間の接続が切断された場合、ステップＳ５２の処理で、判断処理部６７は、端末２０、３０間の接続の切断処理を行い、ステップＳ３５からの処理を繰り返す。
【００３８】
次に、端末２０、３０での予約解除処理を含む判断処理の手順について説明する。
【００３９】
図８は、本発明の第３実施例に係る予約解除処理を含む判断処理を説明するためのフローチャート図である。図８において、先ず、ステップＳ８０の処理で、端末２０、３０の判断処理部６７は、交換機４０から着信要求及び予約解除要求の受信を待機する。ステップＳ８１の処理で、判断処理部６７はスケジュールＤＢ６６内に格納されたスケジュールテーブルを参照する。ステップＳ８２の処理で、判断処理部６７は交換機４０から着信要求を受信したか否かを判断する。
【００４０】
ステップＳ８２の処理で、交換機４０から着信要求を受信していない場合、ステップＳ８３の処理で、予約解除処理部６９は各端末２０、３０により予約解除されたか否かを判断する。ステップＳ８３の処理で、各端末２０、３０により予約解除されていない場合、ステップＳ８０からの処理を繰り返す。ステップＳ８３の処理で、各端末２０、３０により予約解除された場合、ステップＳ８４の処理で、予約解除処理部６９はスケジュールテーブルを更新し、スケジュールＤＢ６６内に格納する。ステップＳ８５の処理で、予約解除処理部６９は予約解除された時刻が予約時間内であるか否かを判断する。ステップＳ８５の処理で、予約解除された時刻が予約時間内でない場合、ステップＳ８０からの処理を繰り返す。ステップＳ８５の処理で、予約解除された時刻が予約時間内である場合、ステップＳ８６の処理で、予約解除処理部６９は予約相手の端末２０、３０へ予約解除の完了を通知し、ステップＳ８０からの処理を繰り返す。
【００４１】
ステップＳ８２の処理で、交換機４０から着信要求を受信した場合、ステップＳ８８の処理で、判断処理部６７は着信要求を受信した時刻が予約時刻であるか否かを判断する。ステップＳ８８の処理で、着信要求を受信した時刻が予約時刻でない場合、ステップＳ９０からの処理を行う。ステップＳ８８の処理で、着信要求を受信した時刻が予約時刻である場合、ステップＳ８９の処理で、判断処理部６７は、発信側が予約端末であるか否かを判断する。ステップＳ８９の処理で、発信側が予約端末でない場合、ステップＳ９１の処理で、判断処理部６７は発信側からの着信を拒否する着信拒否処理を行い、ステップＳ８０からの処理を繰り返す。
【００４２】
ステップＳ８９の処理で、発信側が予約端末である場合、ステップＳ９０の処理で、判断処理部６７は所定の端末２０、３０からの発信要求に応じて着信処理を行う。ステップＳ９２の処理で、判断処理部６７は端末２０、３０間での通話処理を行う。ステップＳ９３の処理で、判断処理部６７は端末２０、３０間の接続が切断されたか否かを判断する。ステップＳ９３の処理で、端末２０、３０間の接続が切断されていない場合、ステップＳ９２の処理を繰り返す。ステップＳ９３の処理で、端末２０、３０間の接続が切断されている場合、ステップＳ９４の処理で、判断処理部６７は、端末２０、３０間の接続の切断処理を行い、ステップＳ８０からの処理を繰り返す。
【００４３】
次に、交換機４０によりスケジュールＤＢ６６が管理され、端末２０、３０による予約解除処理を含む判断処理の手順について説明する。
【００４４】
図９は、本発明の第３実施例に係る予約解除処理を含む判断処理を説明するためのフローチャート図である。図９において、先ず、ステップＳ９６の処理で、端末２０、３０の判断処理部６７は、交換機４０から着信要求及び予約解除要求の受信を待機する。ステップＳ９７の処理で、判断処理部６７は交換機４０から着信要求を受信したか否かを判断する。
【００４５】
ステップＳ９７の処理で、交換機４０から着信要求を受信していない場合、ステップＳ１０２の処理で、予約解除処理部６９は各端末２０、３０により予約解除されたか否かを判断する。ステップＳ１０２の処理で、各端末２０、３０により予約解除されていない場合、ステップＳ９６からの処理を繰り返す。ステップＳ１０２の処理で、各端末２０、３０により予約解除された場合、ステップＳ１０３の処理で、判断処理部６７は交換機４０に設けられたスケジュールＤＢ６６内のスケジュールテーブルの参照要求及び更新要求を行う。
【００４６】
ステップＳ１０４の処理で、予約解除処理部６９は予約解除された時刻が予約時間内であるか否かを判断する。ステップＳ１０４の処理で、予約解除された時刻が予約時間内でない場合、ステップＳ９６からの処理を繰り返す。ステップＳ１０４の処理で、予約解除された時刻が予約時間内である場合、ステップＳ１０５の処理で、予約解除処理部６９は予約相手の端末２０、３０へ予約解除の完了を通知し、ステップＳ９６からの処理を繰り返す。
【００４７】
ステップＳ９７の処理で、交換機４０から着信要求を受信した場合、ステップＳ１０２の処理で、判断処理部６７は所定の端末２０、３０からの発信要求に応じて着信処理を行う。ステップＳ９９の処理で、判断処理部６７は端末２０、３０間での通話処理を行う。ステップＳ１００の処理で、判断処理部６７は端末２０、３０間の接続が切断されたか否かを判断する。ステップＳ１００の処理で、端末２０、３０間の接続が切断されていない場合、ステップＳ９９の処理を繰り返す。ステップＳ１００の処理で、端末２０、３０間の接続が切断されている場合、ステップＳ１０１の処理で、判断処理部６７は、端末２０、３０間の接続の切断処理を行い、ステップＳ９６からの処理を繰り返す。
【００４８】
次に、第４実施例に係る交換機４０における構成例について説明する。図１０は、本発明の第４実施例に係る予約通信制御装置における交換機の構成例を示す図である。尚、図１０に示す交換機４０の構成について、図４に示す交換機４０の各構成と同様の構成については同符号を付して説明を省略する。
【００４９】
図１０において、交換機４０は、主に、発信処理を行うか否かを判断する発信判断処理部７０と、各端末２０、３０間の接続予約を示すスケジュールを通知する予約通知処理部７１と、各端末２０、３０間の通信状態を監視する通信監視処理部７２とを有する。発信判断処理部７０は、各端末２０、３０間の接続予約を示すスケジュールテーブルに基づいて、端末２０、３０からの発信処理を行うか否かの判断を行う。予約通知処理部７１は、スケジュールテーブルに基づいて、スケジュールテーブルの有無の情報又は予約時刻が近づいている旨を通知する。通信監視処理部７２は、各端末２０、３０間の接続予約を示すスケジュールテーブルに基づいて、各端末２０、３０間の通信状態を監視する。
【００５０】
次に、交換機４０での発信判断処理の手順について説明する。
【００５１】
図１１は、本発明の第４実施例に係る発信判断処理を説明するためのフローチャート図である。図１１において、先ず、ステップＳ５５の処理で、交換機４０の発信判断処理部７０は、発信要求及び切断要求の受信を待機する。ステップＳ５６の処理で、発信判断処理部７０は、スケジュールＤＢ６６内に格納されたスケジュールテーブルを参照する。ステップＳ５７の処理で、発信判断処理部７０は、発信要求を受信したか否かの判断を行う。
【００５２】
ステップＳ５７の処理で、発信要求を受信していない場合、ステップＳ５８の処理で、発信判断処理部７０は、切断要求を受信したか否かの判断を行う。ステップＳ５８の処理で、切断要求を受信していない場合、ステップＳ５５からの処理を行う。ステップＳ５８の処理で、切断要求を受信した場合、ステップＳ５９の処理で、発信判断処理部７０は、端末２０、３０が接続され、通話中であるか否かを判断する。ステップＳ５９の処理で端末が通話中でない場合、ステップＳ５５からの処理を繰り返す。ステップＳ５９の処理で端末が通話中である場合、ステップＳ６０の処理で、発信判断処理部７０は端末の接続を切断する切断処理を行い、ステップＳ５５からの処理を繰り返す。
【００５３】
ステップＳ５７の処理で、発信要求を受信した場合、ステップＳ６１の処理で、発信判断処理部７０は、着信側が予約済み端末であるか否かを判断する。ステップＳ６１の処理で、着信側が予約済み端末でない場合、ステップＳ６９からの処理を行う。ステップＳ６１の処理で、着信側が予約済み端末である場合、ステップＳ６２の処理で、発信判断処理部７０は、着信要求を受信した時刻が予約時刻であるか否かを判断する。
【００５４】
ステップＳ６２の処理で、着信要求を受信した時刻が予約時刻である場合、ステップＳ６３の処理で、発信判断処理部７０は、発信側が予約した端末であるか否かを判断する。ステップＳ６３の処理で、発信側が予約した端末である場合、ステップＳ６９の処理で、発信判断処理部７０は、所定の着信側への発信処理を行い、ステップＳ５５からの処理を繰り返す。また、ステップＳ６３の処理で、発信側が予約した端末でない場合、ステップＳ６６の処理で、発信判断処理部７０は、所定の着信側への発信要求を拒否する発信要求拒否処理を行い、ステップＳ５５からの処理を繰り返す。
【００５５】
ステップＳ６２の処理で、着信要求を受信した時刻が予約時刻でない場合、ステップＳ６４の処理で、発信判断処理部７０は、所定の着信側への発信処理を行う、ステップＳ６５の処理で、予約通知処理部７１は、発信要求を受信した時刻が予約時刻までα分以内であるか否かを判断する。ステップＳ６５の処理で、予約時刻までα分以内でない場合、ステップＳ６７の処理で、予約通知処理部７１は予約がある旨を所定の端末２０、３０に知らせる処理を行い、ステップＳ５５からの処理を行う。ステップＳ６５の処理で、予約時刻までα分以内である場合、ステップＳ６８の処理で、予約通知処理部７１は予約時刻が近づいている旨を所定の端末２０、３０に知らせる処理を行い、ステップＳ５５からの処理を行う。
【００５６】
次に、交換機４０での通信監視処理の手順について説明する。
【００５７】
図１２は、本発明の第４実施例に係る通信監視処理を説明するためのフローチャート図である。図１２において、先ず、ステップＳ７０の処理で、交換機４０の通信監視処理部７２は、各端末２０、３０の通信状態を監視する。ステップＳ７１の処理で、通信監視処理部７２は、スケジュールＤＢ６６内に格納されたスケジュールテーブルを参照する。ステップＳ７２の処理で、通信監視処理部７２は、通話中端末のいずれかが予約済み端末であるか否かを判断する。ステップＳ７２の処理で、通話中端末のいずれかが予約済み端末でない場合、ステップＳ７０からの処理を繰り返す。ステップＳ７２の処理で、通話中端末のいずれかが予約済み端末である場合、ステップＳ７３の処理で、通信監視処理部７２は、予約済み端末の通話している時刻が予約時刻であるか否かを判断する。
【００５８】
ステップＳ７３の処理で、予約済み端末の通話している時刻が予約時刻である場合、ステップＳ７６の処理で、予約通知処理部７１は予約時刻である旨を所定の端末２０、３０に知らせる処理を行い、ステップＳ７０からの処理を行う。ステップＳ７３の処理で、予約済み端末の通話している時刻が予約時刻でない場合、ステップＳ７４の処理で、予約通知処理部７１は予約時刻までα分以内であるか否かを判断する。ステップＳ７４の処理で、予約時刻までα分以内でない場合、ステップＳ７０からの処理を繰り返す。ステップＳ７４の処理で予約時刻までα分以内である場合、ステップＳ７５の処理で、予約通知処理部７１は予約時刻が近づいている旨を所定の端末２０、３０に知らせる処理を行い、ステップＳ７０からの処理を行う。
【００５９】
次に、本発明の第５実施例に係る端末２０、３０における構成例について説明する。図１３は、本発明の第５実施例に係る予約通信制御装置における各端末の構成例を示す図である。尚、図１３に示す端末２０、３０の構成について、図２、図６に示す端末２０、３０の各構成と同様の構成については同符号を付して説明を省略する。
【００６０】
図１３において、端末２０、３０は、主に、スケジュールテーブルが格納されたスケジュールＤＢ７６と、スケジュールテーブルに登録を行う登録処理部７５とを有する。この登録処理部７５は、各端末２０、３０の入力ユニットから入力された接続予約を示すスケジュール情報をスケジュールテーブルとしてスケジュールＤＢ７６に格納する。尚、スケジュールＤＢ７６に格納されるスケジュールテーブルについては、図１５で詳細に説明する。また、各端末２０、３０からスケジュール情報を入力するための画面表示例については、図２０、２１で詳細に説明する。
【００６１】
次に、端末２０、３０での登録処理の手順について説明する。
【００６２】
図１４は、本発明の第５実施例に係る登録処理を説明するためのフローチャート図である。図１４において、先ず、ステップＳ１１０の処理で、端末２０、３０の登録処理部７５は、スケジュールを設定するための機能の呼出を行う。ステップＳ１１１の処理で、登録処理部７５は、スケジュールＤＢ７６に格納されたスケジュールテーブルを参照する。ステップＳ１１２の処理で、登録処理部７５は、端末２０、３０の入力ユニットからスケジュールテーブルの登録要求があるか否かを判断する。ステップＳ１１２の処理で、スケジュールテーブルの登録要求がない場合、ステップＳ１１３の処理で、登録処理部７５は端末２０、３０の入力ユニットからスケジュールテーブルの変更要求があるか否かを判断する。ステップＳ１１３の処理で、スケジュールテーブルの変更要求がない場合、ステップＳ１１４の処理で、登録処理部７５は端末２０、３０の入力ユニットからスケジュールテーブルの削除要求があるか否かを判断する。ステップＳ１１４の処理で、登録処理部７５はスケジュールテーブルの削除要求がない場合、登録処理を終了する。ステップＳ１１４の処理で、登録処理部７５はスケジュールテーブルの削除要求がある場合、ステップＳ１１５の処理で、登録処理部７５はスケジュール番号の入力を要求する。
【００６３】
ステップＳ１１６の処理で、登録処理部７５は削除するスケジュールテーブルの内容が正しいか否かを利用者に確認する。ステップＳ１１６の処理で、削除するスケジュールテーブルの内容が正しい場合、ステップＳ１１７の処理で、登録処理部７５はスケジュールＤＢ７６に格納された指定のスケジュールを削除する。ステップＳ１１６の処理で、削除するスケジュールテーブルの内容が正しくない場合、登録処理を終了する。
【００６４】
ステップＳ１１３の処理で、スケジュールテーブルの変更要求がある場合、ステップＳ１１９の処理で、登録処理部７５はスケジュール番号の入力を要求する。ステップＳ１２０の処理で、登録処理部７５は変更するスケジュールテーブルの内容が正しいか否かを利用者に確認する。ステップＳ１２０の処理で、変更するスケジュールテーブルの内容が正しくない場合、登録処理を終了する。ステップＳ１２０の処理で、変更するスケジュールテーブルの内容が正しい場合、ステップＳ１２１の処理で、登録処理部７５は予約時刻コードの入力を要求する。ステップＳ１２２の処理で、登録処理部７５は相手時刻コードの入力を要求する。ステップＳ１２３の処理で、登録処理部７５は登録されたスケジュールテーブルの内容が正しいか否かを利用者に確認する。ステップＳ１２３の処理で、登録されたスケジュールテーブルの内容が正しい場合、ステップＳ１２４の処理で、登録処理部７５はスケジュールＤＢ７６に格納された指定のスケジュールを変更する。ステップＳ１２３の処理で、登録されたスケジュールテーブルの内容が正しくない場合、登録処理を終了する。
【００６５】
ステップＳ１１２の処理で、スケジュールテーブルの登録要求がある場合、ステップＳ１２５の処理で、登録処理部７５は予約時刻コードの入力を要求する。ステップＳ１２６の処理で、登録処理部７５は相手端末コードの入力を要求する。ステップＳ１２７の処理で、登録処理部７５は登録されたスケジュールテーブルの内容が正しいか否かを利用者に確認する。ステップＳ１２７の処理で、登録されたスケジュールテーブルの内容が正しい場合、ステップＳ１２８の処理で、登録処理部７５は入力されたスケジュールテーブルをスケジュールＤＢ７６に格納する。ステップＳ１２７の処理で、登録されたスケジュールテーブルの内容が正しくない場合、登録処理を終了する。
【００６６】
次に、端末２０、３０に設けられたスケジュールＤＢ７６について説明する。図１５は、端末内のスケジュールＤＢに格納されるスケジュールテーブルを示す図である。図１５において、子機端末Ａに設けられたスケジュールＤＢ７６に格納されるスケジュールテーブル７６０を示している。スケジュールテーブル７６０は、スケジュール番号、予約する時刻、予約する親機端末の項目で構成されている。例えば、スケジュールテーブル７６０には、予約時刻「１０：００〜１１：００」に予約端末「親機Ａ」と接続するスケジュールに対してスケジュール番号「１」が格納されている。
【００６７】
次に、本発明の第６実施例に係る交換機４０における構成例について説明する。図１６は、本発明の第６実施例に係る予約通信制御装置における交換機の構成例を示す図である。尚、図１６に示す交換機４０の構成について、図４、図１０に示す交換機４０の各構成と同様の構成については同符号を付して説明を省略する。
【００６８】
図１６において、交換機４０は、スケジュールテーブルに登録を行う登録処理部７７と、スケジュールテーブルが格納されたスケジュールＤＢ７８とを有する。この登録処理部７７は、各端末２０、３０の入力ユニットから入力された接続予約を示すスケジュール情報を受信し、スケジュールテーブルとしてスケジュールＤＢ７６に格納する。尚、スケジュールＤＢ７６に格納されるスケジュールテーブルについては、図１８、図１９で詳細に説明する。
【００６９】
次に、交換機４０での登録処理の手順について説明する。
【００７０】
図１７は、本発明の第６実施例に係る登録処理を説明するためのフローチャート図である。図１７において、先ず、ステップＳ１３０の処理で、交換機４０の登録処理部７７は、スケジュールを設定するための機能の呼出を行う。ステップＳ１３１の処理で、登録処理部７７は、スケジュールＤＢ７８に格納されたスケジュールテーブルを参照する。ステップＳ１３２の処理で、登録処理部７７は、各端末２０、３０に参照したスケジュールテーブルを表示させる。ステップＳ１３３の処理で、登録処理部７７は、登録処理の終了要求を受信したか否かを判断する。ステップＳ１３３の処理で、登録処理の終了要求を受信した場合、登録処理を終了する。ステップＳ１３３の処理で、登録処理の終了要求を受信していない場合、ステップＳ１３４の処理で、登録処理部７７は、所定の端末２０、３０に日時の指定を要求する。ステップＳ１３５の処理で、登録処理部７７は、所定の端末２０、３０に相手端末名の指定又は削除指定を要求する。ステップＳ１３６の処理で、登録処理部７７は登録したスケジュールテーブルの内容が正しいか否かを判断する。ステップＳ１３６の処理で、登録したスケジュールテーブルの内容が正しくない場合、ステップＳ１３２からの処理を行う。ステップＳ１３６の処理で、登録したスケジュールテーブルの内容が正しい場合、ステップＳ１３７の処理で、登録処理部７７は入力されたスケジュールテーブルをスケジュールＤＢ７８に格納する。
【００７１】
次に、交換機４０に設けられたスケジュールＤＢ７８について説明する。図１８、図１９は、交換機内のスケジュールＤＢに格納されるスケジュールテーブルを示す図である。図１８と図１９は、同等のテーブルを示している。図１８に示すスケジュールテーブル７８０には、各子機端末に対応付けて所定の時刻に親機端末が格納されている。例えば、スケジュールテーブル７８０において、子機端末Ａに対して、予約時刻「１０：００〜１１：００」に端末「親機Ａ」と接続し、予約時刻「１３：００〜１４：００」に端末「親機Ｂ」と接続し、予約時刻「１５：００〜１６：００」に端末「親機Ｃ」と接続するスケジュールが格納されている。
【００７２】
図１９に示すスケジュールテーブル７８１には、各親機端末に対応付けて所定の時刻に子機端末が予約されたスケジュールテーブル７８１を示している。例えば、スケジュールテーブル７８１において、親機端末Ａに対して、予約時刻「１０：００〜１１：００」に端末「子機Ａ」と接続し、予約時刻「１１：００〜１２：００」に端末「子機Ｂ」と接続し、予約時刻「１３：００〜１４：００」に端末「子機Ｄ」と接続し、予約時刻「１４：００〜１５：００」に端末「子機Ｅ」と接続し、予約時刻「１５：００〜１６：００」に端末「子機Ｆ」と接続し、予約時刻「１６：００〜１７：００」に端末「子機Ｇ」と接続するスケジュールが格納されている。
【００７３】
次に、各端末２０、３０に表示されるスケジュール情報を入力するための画面表示例について説明する。図２０、図２１は、子機端末Ａに表示される画面表示例を示す図である。図２０（Ａ）に示す画面８０は、交換機４０から送信されたスケジュール表示を示している。画面８０には、予約時刻及び予約された通信先（親機端末）を示す表示域８１と、各時刻に対して通信先を設定するための入力域８２と、スケジュール入力の終了を選択する終了ボタン８３とが表示される。
【００７４】
図２０（Ｂ）に示す画面８０は、各時刻に対して通信先を設定する例を示している。例えば、入力域８２の時刻「１０〜１１」の入力域８５を選択すると、図２１（Ａ）に示す入力域８７が表示される。図２１（Ａ）に示す入力域８７には、親機端末Ａ、親機端末Ｂ、親機端末Ｃ、削除を示す入力域が表示される。例えば、親機端末Ａを示す入力域８８を選択すると、図２１（Ｂ）に示す表示域８５が表示される。図２１（Ｂ）に示す表示域８５には、選択された親機端末「Ａ」が表示される。
【００７５】
このように、上記予約通信制御装置及び方法において、各端末により登録されたスケジュールテーブルに基づいて、効率的に各端末間の通信を制御することができる。これにより、親機端末はコールバックすることなく、予約された時刻に確実に子機端末と接続することができる。また、適宜登録されたスケジュールテーブルを解除することにより、子機端末から緊急の通信要求がある場合、確実に親機端末と接続させることができる。従って、各端末間の通信における利便性を向上させることができる。
【００７６】
尚、上記端末２０、３０でのスケジュール入力は、タッチパネル等で入力するようにしてもよい。
【００７７】
尚、上記予約解除処理において、予約に関する通知を行う際に、例えば、各端末２０、３０で音声出力、ＬＥＤ（Ｌｉｇｈｔ　Ｅｍｉｔｔｉｎｇ　Ｄｉｏｄｅ）によるランプ表示や表示ユニットにメッセージを表示させるようにしてもよい。
【００７８】
尚、上記予約通知処理において、α分、β分は、各端末２０、３０の所有者又は交換機４０の管理者によって設定を変更することも可能である。
（付記１）　複数の端末間での通信を制御する予約通信制御装置であって、
所定の端末間での通信の予約を示すスケジュール情報を管理するスケジュール情報管理手段と、
発信要求を送信した発信側端末が上記スケジュール情報に予約された端末であるか否かを判断する発信判断手段と、
上記発信判断手段による判断結果に基づいて、上記発信側端末からの上記発信要求を拒否する発信拒否手段とを有することを特徴とする予約通信制御装置。
（付記２）　上記スケジュール情報は、所定の端末間での通信を行う時間帯と通信を行う各端末とを有し、
上記発信側端末から上記発信要求が送信された時刻が上記スケジュール情報の通信を行う時間帯内であるか否かを判断する時刻判断手段を有することを特徴とする付記１記載の予約通信制御装置。
（付記３）　上記時刻判断手段による判断結果に基づいて、上記スケジュール情報の通信を行う上記各端末に、上記スケジュール情報が有る旨を通知する通知手段を有することを特徴とする付記２記載の予約通信制御装置。
（付記４）　上記通知手段は、上記スケジュール情報の通信を行う時間帯まで所定時間以内であるとき、上記スケジュール情報の通信を行う上記各端末に、通信を行う時間帯が近づいている旨を通知することを特徴とする付記３記載の予約通信制御装置。
（付記５）　更に、上記各端末が通信中であるとき、上記各端末が上記スケジュール情報に予約された端末であるか否かを判断する予約端末判断手段を有することを特徴とする付記１乃至４いずれか一項記載の予約通信制御装置。
（付記６）　上記スケジュール情報管理手段は、所定の端末に上記スケジュール情報を入力する画面を表示させる表示手段を有することを特徴とする付記１乃至５いずれか一項記載の予約通信制御装置。
（付記７）　交換機を介して通信を制御する予約通信制御端末であって、
所定の端末への通信の予約を示すスケジュール情報を管理するスケジュール情報管理手段と、
発信要求を送信した相手側端末が上記スケジュール情報に予約された端末であるか否かを判断する発信判断手段と、
上記発信判断手段による判断結果に基づいて、上記相手側端末からの上記発信要求に応じた着信要求を拒否する着信拒否手段とを有することを特徴とする予約通信制御端末。
（付記８）　上記スケジュール情報は、所定の端末への通信を行う時間帯と通信を行う各端末とを有し、
上記着信要求を受信した時刻が上記スケジュール情報の通信を行う時間帯内であるか否かを判断する時刻判断手段を有することを特徴とする付記７記載の予約通信制御端末。
（付記９）　上記スケジュール情報の通信を行う時間帯まで所定時間以内であるとき、上記スケジュール情報の通信を行う上記各端末に、通信を行う時間帯が近づいている旨を通知する通知手段を有することを特徴とする付記７又は８記載の予約通信制御端末。
（付記１０）　上記スケジュール情報管理手段は、上記スケジュール情報の更新要求に応じて上記スケジュール情報を更新する更新手段と、
上記スケジュール情報の通信を行う上記各端末に、上記更新手段により更新された旨を通知する更新結果通知手段とを有することを特徴とする付記７乃至９いずれか一項記載の予約通信制御端末。
（付記１１）　上記スケジュール情報管理手段は、所定の端末への通信の予約を示す上記スケジュール情報を上記交換機に送信する送信手段を有することを特徴とする付記７乃至１０いずれか一項記載の予約通信制御端末。
（付記１２）　上記スケジュール情報は、所定の端末への通信を行う時間帯と通信を行う各端末とに応じたスケジュール番号を有し、
上記更新手段は、上記スケジュール番号に基づいて上記スケジュール情報を更新することを特徴とする付記１０記載の予約通信制御端末。
（付記１３）　複数の端末間での通信を制御する予約通信制御方法であって、
所定の端末間での通信の予約を示すスケジュール情報を管理するスケジュール情報管理手順と、
発信要求を送信した発信側端末が上記スケジュール情報に予約された端末であるか否かを判断する発信判断手順と、
上記発信判断手順による判断結果に基づいて、上記発信側端末からの上記発信要求を拒否する発信拒否手順とを有することを特徴とする予約通信制御方法。
（付記１４）　交換機を介して通信を制御する予約通信制御方法であって、
所定の端末への通信の予約を示すスケジュール情報を管理するスケジュール情報管理手順と、
発信要求を送信した相手側端末が上記スケジュール情報に予約された端末であるか否かを判断する発信判断手順と、
上記発信判断手順による判断結果に基づいて、上記相手側端末からの上記発信要求に応じた着信要求を拒否する着信拒否手順とを有することを特徴とする予約通信制御方法。
（付記１５）　交換機を介して通信を制御する予約通信制御方法における処理をコンピュータに行なわせるためのプログラムであって、
所定の端末への通信の予約を示すスケジュール情報を管理するスケジュール情報管理手順と、
発信要求を送信した相手側端末が上記スケジュール情報に予約された端末であるか否かを判断する発信判断手順と、
上記発信判断手順による判断結果に基づいて、上記相手側端末からの上記発信要求に応じた着信要求を拒否する着信拒否手順とを有することを特徴とするプログラム。
（付記１６）　交換機を介して通信を制御する予約通信制御方法における処理をコンピュータに行なわせるためのプログラムを格納した記憶媒体であって、
所定の端末への通信の予約を示すスケジュール情報を管理するスケジュール情報管理手順と、
発信要求を送信した相手側端末が上記スケジュール情報に予約された端末であるか否かを判断する発信判断手順と、
上記発信判断手順による判断結果に基づいて、上記相手側端末からの上記発信要求に応じた着信要求を拒否する着信拒否手順とを有することを特徴とするプログラムを格納した記憶媒体。
【００７９】
【発明の効果】
上述の如く本発明によれば、所定の端末間での通信の予約を示すスケジュール情報を管理し、発信要求を送信した発信側端末がスケジュール情報に予約された端末であるか否かを判断し、この判断結果に基づいて発信側端末からの発信要求を拒否することにより、所定の端末間での通信の予約に基づいて確実に各端末間の接続を行い、各端末間の通信における利便性を向上させることができる。
【図面の簡単な説明】
【図１】本発明の第１実施例に係る予約通信制御装置におけるシステム構成図である。
【図２】本発明の第１実施例に係る予約通信制御装置における各端末の構成例を示す図である。
【図３】本発明の第１実施例に係る着信判断処理を説明するためのフローチャート図である。
【図４】本発明の第２実施例に係る予約通信制御装置における交換機の構成例を示す図である。
【図５】本発明の第２実施例に係る発信判断処理を説明するためのフローチャート図である。
【図６】本発明の第３実施例に係る予約通信制御装置における各端末の構成例を示す図である。
【図７】本発明の第３実施例に係る判断処理を説明するためのフローチャート図である。
【図８】本発明の第３実施例に係る予約解除処理を含む判断処理を説明するためのフローチャート図である。
【図９】本発明の第３実施例に係る予約解除処理を含む判断処理を説明するためのフローチャート図である。
【図１０】本発明の第４実施例に係る予約通信制御装置における交換機の構成例を示す図である。
【図１１】本発明の第４実施例に係る発信判断処理を説明するためのフローチャート図である。
【図１２】本発明の第４実施例に係る通信監視処理を説明するためのフローチャート図である。
【図１３】本発明の第５実施例に係る予約通信制御装置における各端末の構成例を示す図である。
【図１４】本発明の第５実施例に係る登録処理を説明するためのフローチャート図である。
【図１５】端末内のスケジュールＤＢに格納されるスケジュールテーブルを示す図である。
【図１６】本発明の第６実施例に係る予約通信制御装置における交換機の構成例を示す図である。
【図１７】本発明の第６実施例に係る登録処理を説明するためのフローチャート図である。
【図１８】交換機内のスケジュールＤＢに格納されるスケジュールテーブルを示す図である。
【図１９】交換機内のスケジュールＤＢに格納されるスケジュールテーブルを示す図である。
【図２０】各端末に表示される画面表示例を示す図である。
【図２１】各端末に表示される画面表示例を示す図である。
【符号の説明】
１　　　　　　　ネットワーク
１０　　　　　　予約通信制御システム
２０Ａ〜２０Ｘ　子機端末
３０Ａ〜３０Ｎ　親機端末
４０　　　　　　交換機
６０　　　　　　着信判断処理部
６１　　　　　　入出力制御処理部
６２　　　　　　表示制御処理部
６３　　　　　　通信制御処理部
６４　　　　　　インストーラ
６５　　　　　　発信判断処理部
６６、７６　　　スケジュールＤＢ
６７　　　　　　判断処理部
６８、７１　　　予約通知処理部
６９　　　　　　予約解除処理部
７０　　　　　　発信判断処理部
７２　　　　　　通信監視処理部
７５、７７　　　登録処理部
５０　　　　　　記録媒体
【図１】
2004072201.tif 000003
【図２】
2004072201.tif 000004
【図３】
2004072201.tif 000005
【図４】
2004072201.tif 000006
【図５】
2004072201.tif 000007
【図６】
2004072201.tif 000008
【図７】
2004072201.tif 000009
【図８】
2004072201.tif 000010
【図９】
2004072201.tif 000011
【図１０】
2004072201.tif 000012
【図１１】
2004072201.tif 000013
【図１２】
2004072201.tif 000014
【図１３】
2004072201.tif 000015
【図１４】
2004072201.tif 000016
【図１５】
2004072201.tif 000017
【図１６】
2004072201.tif 000018
【図１７】
2004072201.tif 000019
【図１８】
2004072201.tif 000020
【図１９】
2004072201.tif 000021
【図２０】
2004072201.tif 000022
【図２１】
2004072201.tif 000023